(57)【要約】【課題】  利用者の共同での利用を円滑化する。【解決手段】  本体機器１００は、複数のチャンネルを記憶するメモリ１５０の各種の情報を記憶する領域と、複数のチャンネルのいずれかを表す情報を出力するＯＳＤ画像生成部１８０と、情報を受付ける赤外線受光部１２０と、同一のグループを構成するチャンネルを記憶するメモリ１５０の本設定用の領域と、アンテナ１９０を用いることにより、情報を受信するチューナ１６０と、複数のチャンネルのいずれかが構成するグループを表す情報、およびグループを構成するチャンネルを設定する情報を受付けるように、赤外線受光部１２０を制御し、同一のグループを構成するチャンネルのいずれかである選択チャンネルを選択する情報を受付けるように、赤外線受光部１２０を制御し、かつ選択チャンネルで情報を受信するように、赤外線受光部１２０を制御する制御部１１０とを含む。【選択図】        図１
2005311453.tif 000002
【特許請求の範囲】
【請求項１】
複数のチャンネルを記憶するための第１の記憶手段と、
前記複数のチャンネルのいずれかを表す情報を出力するための出力手段と、
情報を受付けるための受付手段と、
利用者を表す情報を受付けるように前記受付手段を制御するための利用者用の制御手段と、
時間を検出するための検出手段と、
前記受付手段が予め定められた利用者を表す情報を受付け、かつ前記利用者に対して定められた時間帯が、前記検出手段が検出した時間を含む場合に、利用者を個別化する事項に対応するグループを表す情報、および前記グループを構成するチャンネルを設定する情報を受付けるように、前記受付手段を制御するためのグループ用の制御手段と、
前記同一のグループを構成するチャンネルの前後の順序を表す情報を受付けるように、前記受付手段を制御するための順序用の制御手段と、
前記同一のグループを構成するチャンネルを表す情報を、互いの前後の順序が明らかとなるように記憶するための第２の記憶手段と、
前記複数のチャンネルのいずれかについて、情報の受信を許可された利用者を記憶するための第３の記憶手段と、
前記同一のグループを構成するチャンネルのいずれかである選択チャンネルを選択する情報を受付けるように、前記受付手段を制御するための選択用の制御手段と、
前記利用者を表す情報が、前記選択チャンネルでの情報の受信を許可された利用者とは異なる利用者を表す場合に、前記選択用の制御手段が、前記選択チャンネルを選択する情報を受付けることを制限するための制限手段と、
前記情報の受信を許可された利用者を更新するように、前記第３の記憶手段を制御するための更新用の制御手段と、
アンテナを用いることにより、情報を受信するための受信手段と、
前記選択チャンネルで情報を受信するように、前記受信手段を制御するための受信用の制御手段と、
前記受信手段が受信した情報が表す映像、および前記出力手段が出力した情報が表す映像を表示するための表示手段と、
前記受信手段が受信した情報が表す音声、および前記出力手段が出力した情報が表す音声を出力するスピーカとを含み、
前記利用者を個別化する事項に対応するグループは、複数のチャンネルのいずれかのうち、予め定められた数のチャンネルが構成するグループであって、
前記グループを構成するチャンネルは、前記出力手段が出力した情報が表すチャンネルのいずれかである、テレビ。
【請求項２】
複数のチャンネルを記憶するための第１の記憶手段と、
前記複数のチャンネルのいずれかを表す情報を出力するための出力手段と、
情報を受付けるための受付手段と、
前記複数のチャンネルのいずれかが構成するグループを表す情報、および前記出力手段が出力した情報が表すチャンネルのうち前記グループを構成するチャンネルを設定する情報を受付けるように、前記受付手段を制御するためのグループ用の制御手段と、
同一のグループを構成するチャンネルを表す情報を記憶するための第２の記憶手段と、
同一のグループを構成するチャンネルのいずれかである選択チャンネルを選択する情報を受付けるように、前記受付手段を制御するための選択用の制御手段と、
アンテナを用いることにより、情報を受信するための受信手段と、
前記選択チャンネルで情報を受信するように、前記受信手段を制御するための受信用の制御手段とを含む、受信機。
【請求項３】
前記グループは、前記受信機の利用者に関する事項に対応するグループを含む、請求項２に記載の受信機。
【請求項４】
前記受信機の利用者に関する事項は、前記受信機の利用者を個別化する事項を含む、請求項３に記載の受信機。
【請求項５】
前記グループは、予め定められた数のチャンネルが構成するグループを含む、請求項２に記載の受信機。
【請求項６】
前記受信機は、利用者を表す情報を受付けるように前記受付手段を制御するための利用者用の制御手段をさらに含み、
前記グループ用の制御手段は、前記受付手段が予め定められた利用者を表す情報を受付けた場合に、前記グループを表す情報、および前記グループを構成するチャンネルを設定する情報を受付けるように、前記受付手段を制御するための手段を含む、請求項２に記載の受信機。
【請求項７】
前記受信機は、
利用者を表す情報を受付けるように前記受付手段を制御するための利用者用の制御手段と、
時間を検出するための検出手段とをさらに含み、
前記グループ用の制御手段は、前記利用者に対して定められた時間帯が、前記検出手段が検出した時間を含む場合、前記グループを表す情報、および前記グループを構成するチャンネルを設定する情報を受付けるように、前記受付手段を制御するための手段を含む、請求項２に記載の受信機。
【請求項８】
前記受信機は、
利用者を表す情報を受付けるように前記受付手段を制御するための利用者用の制御手段と、
前記複数のチャンネルのいずれかについて、情報の受信を許可された利用者を記憶するための第３の記憶手段と、
前記利用者を表す情報が、前記選択チャンネルでの情報の受信を許可された利用者とは異なる利用者を表す場合に、前記選択用の制御手段が、前記選択チャンネルを選択する情報を受付けることを制限するための制限手段とをさらに含む、請求項２に記載の受信機。
【請求項９】
前記受信機は、前記情報の受信を許可された利用者を更新するように、前記第３の記憶手段を制御するための更新用の制御手段をさらに含む、請求項８に記載の受信機。
【請求項１０】
前記受信機は、前記同一のグループを構成するチャンネルの前後の順序を表す情報を受付けるように、前記受付手段を制御するための順序用の制御手段をさらに含み、
前記第２の記憶手段は、前記同一のグループを構成するチャンネルを表す情報を、互いの前後の順序が明らかとなるように記憶するための手段を含む、請求項２に記載の受信機。
【請求項１１】
複数のチャンネルを記憶するための第１の記憶手段と、
前記複数のチャンネルのいずれかを表す情報を出力するための出力手段と、
情報を受付けるための受付手段と、
前記複数のチャンネルのいずれかが構成するグループを表す情報、および前記出力手段が出力した情報が表すチャンネルのうち前記グループを構成するチャンネルを設定する情報を受付けるように、前記受付手段を制御するためのグループ用の制御手段と、
同一のグループを構成するチャンネルを表す情報を記憶するための第２の記憶手段と、
同一のグループを構成するチャンネルのいずれかである選択チャンネルを選択する情報を受付けるように、前記受付手段を制御するための選択用の制御手段と、
アンテナを用いることにより、情報を受信するための受信手段と、
前記選択チャンネルで情報を受信するように、前記受信手段を制御するための受信用の制御手段と、
前記受信手段が受信した情報が表す映像、および前記出力手段が出力した情報が表す映像を表示するための表示手段と、
前記受信手段が受信した情報が表す音声を出力するスピーカとを含む、受像機。
【発明の詳細な説明】
【技術分野】
【０００１】
本発明はテレビ、受信機、および受像機に関し、特に、多数のチャンネルを受信でき、かつ複数の利用者によって利用されるテレビ、受信機、および受像機に関する。
【背景技術】
【０００２】
デジタル放送などの普及にともない、サービスされるチャンネル数は飛躍的に増大している。このことは、利用者が所望のチャンネルを選局するために要する時間を増大化させるなどの問題を生じさせている。このような問題を解決するために、チャンネルや番組をさまざまに設定する技術が提案されている。
【０００３】
特許文献１は、複数のチャンネルのうち指示されたチャンネルのテレビジョン信号を受信するチューナと、利用者別にチャンネル優先順位を記憶する記憶手段と、操作を行った利用者を検出する検出手段と、検出手段によって検出された利用者にとって最も優先順位の高いチャンネルを記憶手段から読み出して、チューナに指示する制御手段とを備えることを特徴とするテレビジョン受像機を開示する。
【０００４】
特許文献１に開示された発明によると、利用者にとって好みのチャンネルを容易に選択できる。
【０００５】
特許文献２は、テレビジョン受像機におけるチャンネル設定を、利用者の受信環境で受信できるチャンネルの一覧を受像管上に表示し、順次チャンネルをポジションに設定するように構成したチャンネル設定装置を開示する。
【０００６】
特許文献２に開示された発明によると、受信できたチャンネルを順番に利用者が指定するポジションに設定することができる。
【０００７】
特許文献３は、テレビ受像機の使用を制御および監視するためのシステムを開示する。このシステムは、テレビ信号を受信および復調するチューナと、チューナに結合され、チューナから復調されたテレビ信号を受信し、映像表示デバイス上で表示するための映像イメージを生成する映像プロセッサと、コマンド信号を利用者から受信するインターフェース回路と、チューナ、映像プロセッサ、およびインターフェース回路に結合され、映像プロセッサを制御するコントローラを備える。
【０００８】
特許文献３に開示された発明によると、親が直接監督することなく、テレビの視聴を制限または妨げることを可能にするシステムを提供することができる。
【０００９】
特許文献４は、放送局から発信される符号化された放送信号を受信する受信手段と、受信手段により受信した放送信号を復号して映像を表示する表示手段に出力する復号手段と、復号手段によって復号された放送信号に含まれるチャンネル情報を記憶する記憶手段と、受信装置各部を制御する制御手段と、利用者が制御手段に対して動作指示を入力するための入力手段とを備え、制御手段は、入力手段を用いた複数の利用者による入力操作に基づいて利用者毎に装置の動作モードを設定し、選択する機能を有する受信装置において、入力手段は、動作モードの選択の際に数値を入力するための数値入力キーを有し、制御部は、利用者により入力された所定の選択番号を設定された動作モードに割り当てて、選択番号と動作モードを対応させて記憶手段に記憶させ、さらに、利用者による数値入力キー操作により選択番号の入力を受けたとき、記憶手段を参照して、選択番号に対応する動作モードを選択することを特徴とする放送受信装置を開示する。
【００１０】
特許文献４に開示された発明によると、簡単な操作によってその動作モードを選択できるようにし、利用者毎の使い分けを可能とすることができる。
【００１１】
しかしながら、特許文献１に開示された発明では、必ずしも利用者が観たいと考えるチャンネルが選択されるとは限らないという問題点がある。特に、複数の利用者が１台のテレビジョン受像機を共有する場合に、この問題点は顕著に表れる。複数の利用者が１台のテレビジョン受像機を共有する場合に、必ずしも利用者が観たいと考えるチャンネルが選択されるとは限らないので、複数の利用者の共同での利用を、円滑化することは困難である。
【００１２】
特許文献２に開示された発明では、複数の利用者が１台のテレビジョン受像機を共有する場合、利用者がそれぞれチャンネルを設定すると、結局ほとんどのチャンネルをポジションに設定せざるを得ないことが多い。このようなことが現実化した場合、複数の利用者の共同での利用を円滑化しにくいという問題点が生じる。
【００１３】
特許文献３に開示された発明では、ある利用者が単に特定のチャンネルを見たくないと思っているに過ぎない場合に、必要以上に制限が課せられ得るという問題点がある。この場合にも、複数の利用者の共同での利用を、円滑化することは困難である。
【００１４】
特許文献４に開示された発明では、複数の利用者が１台の放送受信装置を共有する場合に、その利用を円滑化することについての対策が不十分であるという問題点がある。このような原因は、放送受信装置の設定を利用者毎に設定できるに過ぎない点にある。放送受信装置の設定を利用者毎に設定するためには、さまざまな点で放送受信装置の構成を高度化する必要がある。
【特許文献１】特開平６−２０５３１５号公報
【特許文献２】特開２００１−１１９６３５号公報
【特許文献３】特開２００１−２６８４６２号公報
【特許文献４】特開２００２−２３８００２号公報
【発明の開示】
【発明が解決しようとする課題】
【００１５】
本発明は上述の問題点を解決するためになされたものであって、その目的は、利用者の共同での利用を円滑化できるテレビ、受信機、および受像機を提供することにある。
【課題を解決するための手段】
【００１６】
上記目的を達成するために、本発明のある局面にしたがうと、テレビは、複数のチャンネルを記憶するための第１の記憶手段と、複数のチャンネルのいずれかを表す情報を出力するための出力手段と、情報を受付けるための受付手段と、利用者を表す情報を受付けるように受付手段を制御するための利用者用の制御手段と、時間を検出するための検出手段と、受付手段が予め定められた利用者を表す情報を受付け、かつ利用者に対して定められた時間帯が、検出手段が検出した時間を含む場合に、利用者を個別化する事項に対応するグループを表す情報、およびグループを構成するチャンネルを設定する情報を受付けるように、受付手段を制御するためのグループ用の制御手段と、同一のグループを構成するチャンネルの前後の順序を表す情報を受付けるように、受付手段を制御するための順序用の制御手段と、同一のグループを構成するチャンネルを表す情報を、互いの前後の順序が明らかとなるように記憶するための第２の記憶手段と、複数のチャンネルのいずれかについて、情報の受信を許可された利用者を記憶するための第３の記憶手段と、同一のグループを構成するチャンネルのいずれかである選択チャンネルを選択する情報を受付けるように、受付手段を制御するための選択用の制御手段と、利用者を表す情報が、選択チャンネルでの情報の受信を許可された利用者とは異なる利用者を表す場合に、選択用の制御手段が、選択チャンネルを選択する情報を受付けることを制限するための制限手段と、情報の受信を許可された利用者を更新するように、第３の記憶手段を制御するための更新用の制御手段と、アンテナを用いることにより、情報を受信するための受信手段と、選択チャンネルで情報を受信するように、受信手段を制御するための受信用の制御手段と、受信手段が受信した情報が表す映像、および出力手段が出力した情報が表す映像を表示するための表示手段と、受信手段が受信した情報が表す音声、および出力手段が出力した情報が表す音声を出力するスピーカとを含む。利用者を個別化する事項に対応するグループは、複数のチャンネルのいずれかのうち、予め定められた数のチャンネルが構成するグループである。グループを構成するチャンネルは、出力手段が出力した情報が表すチャンネルのいずれかである。
【００１７】
すなわち、第１の記憶手段は、複数のチャンネルを記憶する。出力手段は、複数のチャンネルのいずれかを表す情報を出力する。受付手段は、情報を受付ける。利用者用の制御手段は、利用者を表す情報を受付けるように受付手段を制御する。検出手段は、時間を検出する。グループ用の制御手段は、受付手段が予め定められた利用者を表す情報を受付け、かつ利用者に対して定められた時間帯が、検出手段が検出した時間を含む場合に、利用者を個別化する事項に対応するグループを表す情報、およびグループを構成するチャンネルを設定する情報を受付けるように、受付手段を制御する。グループを構成するチャンネルは、出力手段が出力した情報が表すチャンネルのいずれかである。順序用の制御手段は、同一のグループを構成するチャンネルの前後の順序を表す情報を受付けるように、受付手段を制御する。第２の記憶手段は、同一のグループを構成するチャンネルを表す情報を、互いの前後の順序が明らかとなるように記憶する。第３の記憶手段は、複数のチャンネルのいずれかについて、情報の受信を許可された利用者を記憶する。更新用の制御手段は、情報の受信を許可された利用者を更新するように、第３の記憶手段を制御する。これにより、選択用の制御手段は、同一のグループを構成するチャンネルのいずれかである選択チャンネルを選択する情報を受付けるように、受付手段を制御する。選択チャンネルが、利用者を個別化する事項に対応し同一のグループを構成するチャンネルのいずれかなので、利用者は利用を希望しないグループの選択を特に円滑に省略できる。さらに、制限手段は、利用者を表す情報が、選択チャンネルでの情報の受信を許可された利用者とは異なる利用者を表す場合に、選択用の制御手段が、選択チャンネルを選択する情報を受付けることを制限する。選択チャンネルを選択する情報は、利用者を表す情報が、選択チャンネルでの視聴用の情報の受信を許可されている利用者を表す場合に受付けられるので、利用者の共同での利用はより円滑化される。また、利用者を個別化する事項に対応するグループが、複数のチャンネルのいずれかのうち、予め定められた数のチャンネルが構成するグループなので、第２の記憶手段の構成は簡略化される。受信手段は、アンテナを用いることにより、情報を受信する。受信用の制御手段は、選択チャンネルで情報を受信するように、受信手段を制御する。表示手段は、受信手段が受信した情報が表す映像、および出力手段が出力した情報が表す映像を表示する。スピーカは、受信手段が受信した情報が表す音声、および出力手段が出力した情報が表す音声を出力する。その結果、簡単な構成で、利用者の共同での利用を特に円滑化できるテレビを提供することができる。
【００１８】
本発明の他の局面にしたがうと、受信機は、複数のチャンネルを記憶するための第１の記憶手段と、複数のチャンネルのいずれかを表す情報を出力するための出力手段と、情報を受付けるための受付手段と、複数のチャンネルのいずれかが構成するグループを表す情報、および出力手段が出力した情報が表すチャンネルのうちグループを構成するチャンネルを設定する情報を受付けるように、受付手段を制御するためのグループ用の制御手段と、同一のグループを構成するチャンネルを表す情報を記憶するための第２の記憶手段と、同一のグループを構成するチャンネルのいずれかである選択チャンネルを選択する情報を受付けるように、受付手段を制御するための選択用の制御手段と、アンテナを用いることにより、情報を受信するための受信手段と、選択チャンネルで情報を受信するように、受信手段を制御するための受信用の制御手段とを含む。
【００１９】
すなわち、第１の記憶手段は、複数のチャンネルを記憶する。出力手段は、複数のチャンネルのいずれかを表す情報を出力する。受付手段は、情報を受付ける。グループ用の制御手段は、複数のチャンネルのいずれかが構成するグループを表す情報、および出力手段が出力した情報が表すチャンネルのうちグループを構成するチャンネルを設定する情報を受付けるように、受付手段を制御する。第２の記憶手段は、同一のグループを構成するチャンネルを表す情報を記憶する。これにより、選択用の制御手段は、同一のグループを構成するチャンネルのいずれかである選択チャンネルを選択する情報を受付けるように、受付手段を制御する。選択チャンネルが同一のグループを構成するチャンネルのいずれかなので、利用者は利用を希望しないグループの選択を円滑に省略できる。受信手段は、アンテナを用いることにより、情報を受信する。受信用の制御手段は、選択チャンネルで情報を受信するように、受信手段を制御する。その結果、利用者の共同での利用を円滑化できる受信機を提供することができる。
【００２０】
また、上述のグループは、受信機の利用者に関する事項に対応するグループを含むことが望ましい。
【００２１】
すなわち、グループ用の制御手段は、複数のチャンネルのいずれかが構成し、かつ受信機の利用者に関する事項に対応するグループを表す情報を受付けるように、受付手段を制御する。これにより、利用者は利用を希望しないグループの選択をより円滑に省略できる。その結果、利用者の共同での利用を、より円滑化できる受信機を提供することができる。
【００２２】
もしくは、上述の受信機の利用者に関する事項は、受信機の利用者を個別化する事項を含むことが望ましい。
【００２３】
すなわち、グループ用の制御手段は、複数のチャンネルのいずれかが構成し、かつ受信機の利用者を個別化する事項に対応する、グループを表す情報を受付けるように、受付手段を制御する。これにより、利用者は利用を希望しないグループの選択をより円滑に省略できる。その結果、利用者の共同での利用を、より円滑化できる受信機を提供することができる。
【００２４】
また、上述のグループは、予め定められた数のチャンネルが構成するグループを含むことが望ましい。
【００２５】
すなわち、グループ用の制御手段は、複数のチャンネルのいずれかが構成し、かつ予め定められた数のチャンネルが構成するグループを表す情報を受付けるように、受付手段を制御する。これにより、第２の記憶手段の構成は簡略化される。その結果、簡単な構成で、利用者の共同での利用を円滑化できる受信機を提供することができる。
【００２６】
また、上述の受信機は、利用者を表す情報を受付けるように受付手段を制御するための利用者用の制御手段をさらに含むことが望ましい。あわせてグループ用の制御手段は、受付手段が予め定められた利用者を表す情報を受付けた場合に、グループを表す情報、およびグループを構成するチャンネルを設定する情報を受付けるように、受付手段を制御するための手段を含むことが望ましい。
【００２７】
すなわち、利用者用の制御手段は、利用者を表す情報を受付けるように受付手段を制御する。グループ用の制御手段は、受付手段が予め定められた利用者を表す情報を受付けた場合に、グループを表す情報、およびグループを構成するチャンネルを設定する情報を受付けるように、受付手段を制御する。これにより、チャンネルの設定などが予め定められた利用者によって実施されることになるので、チャンネルの設定は円滑に実施されることとなる。その結果、利用者の共同での利用を、より円滑化できる受信機を提供することができる。
【００２８】
また、上述の受信機は、利用者を表す情報を受付けるように受付手段を制御するための利用者用の制御手段と、時間を検出するための検出手段とをさらに含むことが望ましい。あわせてグループ用の制御手段は、利用者に対して定められた時間帯が、検出手段が検出した時間を含む場合、グループを表す情報、およびグループを構成するチャンネルを設定する情報を受付けるように、受付手段を制御するための手段を含むことが望ましい。
【００２９】
すなわち、利用者用の制御手段は、利用者を表す情報を受付けるように受付手段を制御する。検出手段は、時間を検出する。グループ用の制御手段は、利用者に対して定められた時間帯が、検出手段が検出した時間を含む場合、グループを表す情報、およびグループを構成するチャンネルを設定する情報を受付けるように、受付手段を制御する。これにより、チャンネルの設定はより円滑に実施される。その結果、利用者の共同での利用を、より円滑化できる受信機を提供することができる。
【００３０】
また、上述の受信機は、利用者を表す情報を受付けるように受付手段を制御するための利用者用の制御手段と、複数のチャンネルのいずれかについて、情報の受信を許可された利用者を記憶するための第３の記憶手段と、利用者を表す情報が、選択チャンネルでの情報の受信を許可された利用者とは異なる利用者を表す場合に、選択用の制御手段が、選択チャンネルを選択する情報を受付けることを制限するための制限手段とをさらに含むことが望ましい。
【００３１】
すなわち、利用者用の制御手段は、利用者を表す情報を受付けるように受付手段を制御する。第３の記憶手段は、複数のチャンネルのいずれかについて、情報の受信を許可された利用者を記憶する。制限手段は、利用者を表す情報が、選択チャンネルでの情報の受信を許可された利用者とは異なる利用者を表す場合に、選択用の制御手段が、選択チャンネルを選択する情報を受付けることを制限する。これにより、情報の受信を許可されている利用者が、選択チャンネルで情報を受信させることができる。その結果、利用者の共同での利用を、より円滑化できる受信機を提供することができる。
【００３２】
もしくは、上述の受信機は、情報の受信を許可された利用者を更新するように、第３の記憶手段を制御するための更新用の制御手段をさらに含むことが望ましい。
【００３３】
すなわち、更新用の制御手段は、情報の受信を許可された利用者を更新するように、第３の記憶手段を制御する。これにより、情報の受信を許可されている利用者が、選択チャンネルで情報を受信させることができる場合に、受信機の利用をさらに円滑化できる。その結果、利用者の共同での利用を、さらに円滑化できる受信機を提供することができる。
【００３４】
また、上述の受信機は、同一のグループを構成するチャンネルの前後の順序を表す情報を受付けるように、受付手段を制御するための順序用の制御手段をさらに含むことが望ましい。あわせて第２の記憶手段は、同一のグループを構成するチャンネルを表す情報を、互いの前後の順序が明らかとなるように記憶するための手段を含むことが望ましい。
【００３５】
すなわち、順序用の制御手段は、同一のグループを構成するチャンネルの前後の順序を表す情報を受付けるように、受付手段を制御する。第２の記憶手段は、同一のグループを構成するチャンネルを表す情報を、互いの前後の順序が明らかとなるように記憶する。これにより、利便性が向上する。その結果、利便性が高く、利用者の共同での利用を円滑化できる受信機を提供することができる。
【００３６】
本発明の他の局面にしたがうと、受像機は、複数のチャンネルを記憶するための第１の記憶手段と、複数のチャンネルのいずれかを表す情報を出力するための出力手段と、情報を受付けるための受付手段と、複数のチャンネルのいずれかが構成するグループを表す情報、および出力手段が出力した情報が表すチャンネルのうちグループを構成するチャンネルを設定する情報を受付けるように、受付手段を制御するためのグループ用の制御手段と、同一のグループを構成するチャンネルを表す情報を記憶するための第２の記憶手段と、同一のグループを構成するチャンネルのいずれかである選択チャンネルを選択する情報を受付けるように、受付手段を制御するための選択用の制御手段と、アンテナを用いることにより、情報を受信するための受信手段と、選択チャンネルで情報を受信するように、受信手段を制御するための受信用の制御手段と、受信手段が受信した情報が表す映像、および出力手段が出力した情報が表す映像を表示するための表示手段と、受信手段が受信した情報が表す音声を出力するスピーカとを含む。
【００３７】
すなわち、第１の記憶手段は、複数のチャンネルを記憶する。出力手段は、複数のチャンネルのいずれかを表す情報を出力する。受付手段は、情報を受付ける。グループ用の制御手段は、複数のチャンネルのいずれかが構成するグループを表す情報、および出力手段が出力した情報が表すチャンネルのうちグループを構成するチャンネルを設定する情報を受付けるように、受付手段を制御する。第２の記憶手段は、同一のグループを構成するチャンネルを表す情報を記憶する。これにより、選択用の制御手段は、同一のグループを構成するチャンネルのいずれかである選択チャンネルを選択する情報を受付けるように、受付手段を制御する。選択チャンネルが同一のグループを構成するチャンネルのいずれかなので、利用者は利用を希望しないグループの選択を円滑に省略できる。受信手段は、アンテナを用いることにより、情報を受信する。受信用の制御手段は、選択チャンネルで情報を受信するように、受信手段を制御する。表示手段は、受信手段が受信した情報が表す映像、および出力手段が出力した情報が表す映像を表示する。スピーカは、受信手段が受信した情報が表す音声を出力する。その結果、利用者の共同での利用を円滑化できる受像機を提供することができる。
【発明の効果】
【００３８】
本発明に係るテレビ、受信機、および受像機は、利用者の共同での利用を円滑化できる。
【発明を実施するための最良の形態】
【００３９】
以下、図面を参照しつつ、本発明の実施の形態について説明する。以下の説明では、同一の部品には同一の符号を付してある。それらの名称および機能も同一である。したがって、それらについての詳細な説明は繰返さない。
【００４０】
＜第１の実施の形態＞
図１を参照して、本発明を実現する放送受信装置の一態様である本体機器１００について説明する。図１は、本体機器１００の機能的構成を表すブロック図である。
【００４１】
図１に示すように、本体機器１００は、制御部１１０と、赤外線受光部１２０と、計時回路１２６と、入力部１３０と、チューナ１６０と、合成部１６２と、増幅部１６４と、表示部１７０と、スピーカ１７２と、ＯＳＤ（On Screen Display）画像生成部１８０とを含む。制御部１１０は、メモリ１５０を含む。本体機器１００には、チューナ１６０を介してアンテナ１９０が取付けられている。本実施の形態において、本体機器１００は、テレビである。
【００４２】
赤外線受光部１２０、あるいは入力部１３０が受付けた指示信号は、制御部１１０に入力される。
【００４３】
制御部１１０は、たとえばマイコンである。制御部１１０は、赤外線受光部１２０が受信する信号、あるいは入力部１３０を介して入力される指令に基づいて、予め定められた処理を実行する。そのような処理の一種として、チューナ１６０の選局を行なったり、増幅部１６４による音声信号の出力を調整したりする処理がある。その他の処理については、適宜後述する。計時回路１２６は、時間を検出し、時間情報を出力する。
【００４４】
入力部１３０は、電源スイッチ、チャンネルボタン、音量調整ボタン、その他の操作ボタンを含む。本体機器１００の利用者は、この入力部１３０を介して、本体機器１００の電源のＯＮ／ＯＦＦの切り替え、受信チャンネルの切り替え、あるいは、音量の調整などのための指示を入力することができる。入力部１３０は、＋／−スイッチ、数字ボタン、トグルボタンなどを含む。トグルボタンとは、利用者による押下の回数に応答して、信号を出力するボタンのことをいう。
【００４５】
メモリ１５０は、予め設定された本体機器１００が受信可能なチャンネルの番号、利用者の好みに応じて任意に設定されたチャンネルの番号、あるいは予め定められた処理を実行することができるプログラムなどを記憶する。
【００４６】
メモリ１５０は、たとえばフラッシュメモリのように不揮発性のメモリであるが、これに限られない。メモリ１５０は、本体機器１００の電源がＯＦＦである場合でも、データを保持し続けることができるものであればよい。メモリ１５０は、本設定用の情報を記憶する領域、仮設定用の情報を設定する領域、バッファとして情報を記憶する領域、および本体機器１００の制御に必要な各種の情報を記憶する領域に分かれている。
【００４７】
また、メモリ１５０は、制御部１１０の外部に設けられていてもよい。また、複数のメモリがそれぞれ情報を記憶する態様であってもよい。
【００４８】
チューナ１６０は、制御部１１０からの信号に含まれるチャンネルの識別信号（後述するように、この識別信号が表すチャンネルは、利用者が選択した選択チャンネルである）に基づいて、放送信号からそのチャンネルに対応する映像信号および音声信号を取得する。チューナ１６０は、後述するアンテナ１９０を用いることにより、視聴用の情報を受信する回路であるとも言える。
【００４９】
合成部１６２は、制御部１１０からの映像信号およびＯＳＤ画像信号１８０からのオンスクリーン表示信号を合成する。合成部１６２から出力される信号は、表示部１７０に入力される。
【００５０】
表示部１７０は、チューナ１６０が受信した映像信号、およびＯＳＤ画像信号１８０が合成部１６２を介して出力した情報に基づいて、映像を表示する。表示部１７０は、たとえばブラウン管、液晶ディスプレイ、あるいはプラズマディスプレイなどであるが、その他の表示装置であってもよい。
【００５１】
チューナ１６０により取得された音声信号は、増幅部１６４に入力される。増幅部１６４は、制御部１１０からの制御信号に基づいて、入力信号の出力を大きくし、あるいは、小さくして、スピーカ１７２に出力する。
【００５２】
スピーカ１７２は、その信号を音声に変換して出力する。スピーカ１７２は、チューナ１６０が受信した映像信号を出力する。スピーカ１７２は、モノラルスピーカおよびステレオスピーカのいずれであってもよい。
【００５３】
ＯＳＤ画像生成部１８０は、赤外線受光部１２０により受信される信号あるいは入力部１３０を介して入力される信号に基づいて、受信中のチャンネル番号、音量レベル、時間その他の情報を表す画像を生成して表示部１７０に出力する。これにより、表示部１７０は、表示中の映像にその画像を重ねて表示する。
【００５４】
図２を参照して、本実施の形態に係るリモコン端末１２００について説明する。図２は、リモコン端末１２００の外観を表す図である。このリモコン端末１２００は、ディスプレイ１２０２と、移動キー１２０４と、数字ボタン１２０６と、操作ボタン１２０８とを含む。このリモコン端末１２００は、本体機器１００に信号を送信する装置である。
【００５５】
移動キー１２０４は、上下左右にカーソルを移動するためのカーソルキー１２１４と、確定する旨の指示を入力する確定ボタン１２２４とを含む。
【００５６】
操作ボタン１２０８は、押下される回数に応答してテレビの音量を調整することができる音量ボタン１２１８と、同様に調整可能なチャンネルボタン１２２８とを含む。
【００５７】
図３を参照して、本実施の形態に係るリモコン端末１２００の構成についてさらに説明する。図３は、リモコン端末１２００が有する機能の構成を表す図である。
【００５８】
このリモコン端末１２００は、制御部１２１０と、チャンネル選局部１２２０と、操作部１２４０と、メモリ１２５０と、赤外線発光部１２６０とを含む。
【００５９】
チャンネル選局部１２２０は、チャンネルボタン１２２８に相当する。操作部１２４０は、移動キー１２０４、数字ボタン１２０６、あるいは音量ボタン１２１８などに対応する。メモリ１２５０は、制御部１２１０が、リモコン端末１２００の各部を制御するための情報を記憶する。
【００６０】
制御部１２１０は、チャンネル選局部１２２０、および操作部１２４０のいずれかから出力された信号に基づいて予め定められた処理信号を赤外線発光部１２６０に出力させる。図４を参照して、本実施の形態に係る赤外線受光部１２０がリモコン信号を受信する際のデータのフォーマットを説明する。本実施の形態に係るリモコン信号を受信する際のデータのフォーマットは、スタートビットを表すスタートビット用エリア２２０と、リモコン信号の送信を表すオペレーションコード用エリア２２２と、リモコン信号の内容を表すコマンドコード用エリア２２４と、リモコン信号の内容にデータが付属する場合のデータ用エリア２２６と、ストップビットを表すストップビット用エリア２２８とを含む。本実施の形態において、このフォーマットにより送信される信号は、たとえば数字ボタン１２０６の「７」のキーが押されたといったことを表す信号である。このような信号により表される動作には、たとえば本体機器１００の音量を調整する動作、チャンネルを選局する動作などが含まれる。
【００６１】
図５を参照して、本体機器１００で実行されるプログラムは、利用者毎のチャンネルの設定に関して、以下のような制御構造を有する。
【００６２】
ステップ３００（以下、ステップをＳと略す）にて、制御部１１０は、チューナ１６０およびアンテナ１９０を用いて、同期することを確認できるチャンネル（すなわち電波の周波数）を検出する。具体的には、制御部１１０は、チューナ１６０に検出させようとする電波の周波数を順次変化させていくことにより、同期できるチャンネルを検出する。同期できるチャンネルであるか否かは、検出される電波の強弱に基づいて判断される。本実施の形態の場合、電波の強弱は、チューナ１６０が出力する電力の、電圧の大小によって判断される。制御部１１０は、同期することを確認できるチャンネル（ちなみに、本実施の形態の場合、複数のチャンネルについて同期することを確認できることとする）を、メモリ１５０の各種の情報を記憶する領域に記憶させる。あわせて制御部１１０は、利用者ごとに設定できるチャンネルの数を、同期することを確認できるチャンネルの数に一致するように定める。制御部１１０は、利用者ごとに設定できるチャンネルの数を表す情報を、メモリ１５０の各種の情報を記憶する領域に記憶させる。
【００６３】
Ｓ３０２にて、赤外線受光部１２０は、利用者のいずれかがチャンネルを設定しようとする旨を受付ける。本実施の形態の場合、利用者からの入力は、いずれも赤外線受光部１２０が、リモコン信号を受信することにより受付けられる。リモコン信号によりチャンネルの設定を受付けるため、信号の受信に先立って、制御部１１０は、ＯＳＤ画像生成部１８０を介して、表示部１７０に、チャンネルおよび使用できる時間帯の入力を受付けるための画像を表示させる。ただし本実施の形態の場合、制御部１１０は、チャンネルの設定の旨を送信した利用者が、Ｓ３０２の時点で本体機器１００を利用できない利用者であった場合、赤外線受光部１２０が受付けた信号を無視する。どの時点でどの利用者が本体機器１００を利用できるかということは、計時回路１２６が検出した時間情報を根拠として判断される。これにより、各利用者は、事前に設定した時間帯に番組の視聴および設定の変更を実施することができる（ただし、初期設定は、いずれの利用者もすべての時間帯において番組の視聴および設定の変更を実施することができる旨の設定となっている）。
【００６４】
Ｓ３０４にて、制御部１１０は、メモリ１５０に記憶された各種の設定を変更する。この処理は、後述するＳ４００〜Ｓ４１０の各ステップに相当する。
【００６５】
Ｓ３０６にて、制御部１１０は、変更された設定に対する、利用者の承認があったか否かを判断する。利用者の承認があったと判断した場合（Ｓ３０６にてＹＥＳ）、処理はＳ３０８へと移される。もしそうでないと（Ｓ３０６にてＮＯ）、処理はＳ３１０へと移される。
【００６６】
Ｓ３０８にて、制御部１１０は、変更された設定の内容を表す情報を、メモリ１５０の本設定用の領域に記憶させる。Ｓ３１０にて、制御部１１０は、変更された設定の内容を表す情報を破棄する。
【００６７】
図６を参照して、本体機器１００で実行されるプログラムは、設定の変更に関して、以下のような制御構造を有する。
【００６８】
Ｓ４００にて、制御部１１０は、まずメモリ１５０のバッファに、利用者毎のチャンネルの、最新の設定を表す情報を記憶させる。最新の設定を表す情報は、メモリ１５０の本設定用の領域に記憶されている。最新の設定を表す情報が記憶されると、制御部１１０は、設定しようとする対象の選択を、リモコン信号が表す情報として受付けるように、赤外線受光部１２０を制御する。本実施の形態において、このステップにおけるリモコン信号が表す内容は、カーソルキー１２１４が押されたことを表す内容、および確定ボタン１２２４が押されたことを表す内容のいずれかである。カーソルキー１２１４が押された場合、制御部１１０は、カーソルキー１２１４の種類に応じて（すなわち、カーソルをどの方向に移動させる旨のキーが押されたかに応じて）、表示部１７０に表示させたカーソルを移動させる。あわせて制御部１１０は、メモリ１５０のバッファに記憶された、カーソルがある欄を表わす情報を変更する。確定ボタン１２２４が押された場合、制御部１１０は、次のステップの処理を開始する。これにより、制御部１１０は、設定しようとする対象が、確定ボタン１２２４が押された時点の、カーソルがある欄である旨の選択を、赤外線受光部１２０が受付けたとみなす。すなわち、選択の受付けは確定する。制御部１１０は、メモリ１５０のバッファの、設定の対象を表す領域に、カーソルがある欄の内容を記憶させる。
【００６９】
Ｓ４０２にて、制御部１１０は、利用者が設定の対象としてチャンネル枠２３０に含まれる欄を選択したか否かを判断する。この判断は、メモリ１５０のバッファの、設定の対象を表す領域に記憶された情報の内容に基づいて実施される。利用者がチャンネル枠２３０に含まれる欄を選択したと判断した場合（Ｓ４０２にてＹＥＳ）、処理はＳ４０４へと移される。もしそうでないと（Ｓ４０２にてＮＯ）、処理はＳ４０８へと移される。
【００７０】
Ｓ４０４にて、制御部１１０は、利用者の選択を受付けるように、赤外線受光部１２０を制御する。制御部１１０は、予めＯＳＤ画像生成部１８０を制御して、表示部１７０に利用者名を表示させておく。制御部１１０は、カーソルがある氏名欄２３６の利用者に対して設定されている具体的なチャンネルを、表示部１７０の利用者チャンネル表示欄２３４に表示させる。このことから明らかなように、本実施の形態において、氏名欄２３６に表示された氏名は、利用者チャンネル表示欄２３４に表示されるチャンネルが構成し、かつ本体機器１００の利用者に個別に対応するグループを表す情報となる。このとき利用者チャンネル表示欄２３４に表示されるチャンネルは、メモリ１５０のバッファに、利用者名に対応付け、かつチャンネル同士の前後の順序が明らかなように記憶されている。確定ボタン１２２４が押されると、利用者の選択は確定する。
【００７１】
Ｓ４０６にて、赤外線受光部１２０は、表示するチャンネルの選択を受付ける（制御部１１０は表示しないチャンネルの選択を受付けてもよい。しかし、本実施の形態における制御部１１０は、表示するチャンネルの選択を受付けることとする）。表示するチャンネルの選択を受付けるために、制御部１１０は、表示部１７０の利用者チャンネル表示欄２３４に表示させたチャンネルのうち、あるチャンネル（本実施の形態の場合、利用者チャンネル表示欄２３４に表示されるチャンネルのうち、最も左の表示マスに表示されたチャンネル）を反転表示させる。赤外線受光部１２０が、カーソルキー１２１４のうち、カーソルを左右方向に移動させるキーが押された旨の信号を受信すると、制御部１１０は、別のチャンネルを表す情報を反転表示させる。赤外線受光部１２０が、カーソルキー１２１４のうち、カーソルを下方向に移動させるキーが押された旨の信号を受信すると、制御部１１０は、その時反転表示されていたチャンネルが、選択するチャンネルの対象から外されたとみなし、そのチャンネルを表す情報をメモリ１５０のバッファから消去する。あわせて制御部１１０は、そのチャンネルの番号を利用者チャンネル表示欄２３４からも消去させる。赤外線受光部１２０が、確定ボタン１２２４が押された旨の信号を受信すると、制御部１１０は、赤外線受光部１２０が、その時までに選択されたチャンネルを受付けたとみなす（なお、本実施の形態において、このときバッファに記憶されたチャンネルの情報、およびＳ４０４にて選択された利用者名は、Ｓ３０８にて、後述する「設定の内容を表す情報」の１つのグループとして記憶される。この場合、先に記憶されたチャンネルの情報に、より小さなグループ番号が付加される）。
【００７２】
Ｓ４０８にて、制御部１１０は、利用者毎に本体機器１００を使用する時間の設定を受付ける。カーソルキー１２１４のうち、カーソルを左右方向に移動させるキーが押された旨の信号を受信すると、制御部１１０は、それまで反転表示されていた欄の、隣の欄の表示を反転させる。あわせて、制御部１１０は、元の欄の表示を、通常表示に変更させる。カーソルキー１２１４のうち、カーソルを上下方向に移動させるキーが押された旨の信号を受信すると、制御部１１０は、別の利用者の、元の欄に対応する欄の表示を反転させる。あわせて、制御部１１０は、元の欄の表示を、通常表示に変更させる。赤外線受光部１２０が、数字ボタン１２０６が押された旨の信号を受信すると、制御部１１０は、その時反転表示された欄の内容を、受信した数字ボタン１２０６が表す値に更新する。
【００７３】
Ｓ４１０にて、制御部１１０は、確定ボタン１２２４が押された旨の信号を受信すると、その時表示部１７０に表示された候補が選択されたとみなし、その情報をメモリ１５０のバッファに記憶させる。これにより、制御部１１０が、使用できる時間帯の設定を表す情報を受付けたこととなる。
【００７４】
図７を参照して、本体機器１００で実行されるプログラムは、放送の受信および映像の表示に関して、以下のような制御構造を有する。
【００７５】
Ｓ５００にて、制御部１１０は、計時回路１２６が出力した値に基づき、時間を特定する。Ｓ５０２にて、制御部１１０は、メモリ１５０のバッファに記憶された情報に基づき、Ｓ５０２を実行する時点で本体機器１００を利用する利用者を特定する。
【００７６】
Ｓ５０４にて、制御部１１０は、メモリ１５０本設定用の領域に記憶された、時間帯ごとに利用できる利用者を特定した情報に基づき、利用中の利用者が、Ｓ５０２を実行する時点で本体機器１００を利用できる利用者か否かを判断する。本体機器１００を利用できる利用者と判断した場合（Ｓ５０４にてＹＥＳ）、処理はＳ５０８へと移される。もしそうでないと（Ｓ５０４にてＮＯ）、処理はＳ５０６へと移される。Ｓ５０６にて、制御部１１０は、チャンネルに関する設定を標準の設定（本実施の形態において、標準の設定の具体的な内容は利用者が任意に決定する）にする。Ｓ５０８にて、制御部１１０は、リモコン信号として情報を受付けるように、赤外線受光部１２０を制御する。本実施の形態において、このとき制御部１１０が赤外線受光部１２０に受付けさせる情報は、利用者チャンネル表示欄２３４に表示されたチャンネル（詳細は後述する）のいずれかである選択チャンネルを選択する情報、および利用者の変更を表す情報のいずれかである。
【００７７】
Ｓ５１０にて、制御部１１０は、受信した信号が利用者の変更を表すか否かを判断する。利用者の変更を表すと判断した場合（Ｓ５１０にてＹＥＳ）、処理はＳ５１２へと移される。もしそうでないと（Ｓ５１０にてＮＯ）、処理はＳ５１８へと移される。Ｓ５１２にて、制御部１１０は、Ｓ５０８にて受信した信号から、利用者名およびパスワードを抽出する。
【００７８】
Ｓ５１４にて、制御部１１０は、抽出された利用者名に基づき、利用中の利用者が、Ｓ５１２を実行する時点で本体機器１００を利用できる利用者か否かを判断する。本体機器１００を利用できる利用者と判断した場合（Ｓ５１４にてＹＥＳ）、処理はＳ５１６へと移される。もしそうでないと（Ｓ５１４にてＮＯ）、処理はＳ５１８へと移される。
【００７９】
Ｓ５１６にて、制御部１１０は、メモリ１５０から、抽出された利用者名に基づき、設定の内容を表す情報を読出す。情報が読出されると、制御部１１０は、その情報に対応するように、データテーブル（数字ボタン１２０６と数字ボタン１２０６に対応するチャンネルとの対応づけを表すデータテーブル）の内容を更新する。これにより、利用者毎にチャンネルの表示が設定される。本実施の形態において、設定の内容を表す情報は、複数のグループから構成されている。１つのグループは、グループ番号、データテーブルの内容を表すデータ、ならびに利用者名およびパスワードの組合せを含む。１つのグループに含まれる、利用者名およびパスワードの組合せの数は、特に特定されない。あるグループの場合、その数は１組である。またあるグループの場合、その数は、複数である。制御部１１０は、各グループＳ５０８にて受信した信号から抽出された利用者名およびパスワードを含むグループすべての内容が反映されるようにデータテーブルの内容を更新する。グループ間でデータテーブルの内容に矛盾がある場合、グループ番号の値が小さいグループの内容が優先する。このようにデータテーブルの内容を更新することで、いわばある利用者が自分の利用者名とパスワードで別の利用者が選択したチャンネルを観ることができるような形態が生じる。
【００８０】
Ｓ５１８にて、制御部１１０は、赤外線受光部１２０が受信したリモコン信号が表す、チャンネルを選択する旨の情報に基づき、チューナ１６０がアンテナを用いて受信するチャンネルを変更させ、受信した映像を表示部１７０に表示させる。ただし、リモコン信号にチャンネルを選択する旨の情報が含まれていない場合、制御部１１０は、現在受信中のチャンネル（すなわち、Ｓ５０８の時点でチューナ１６０が情報を受信中のチャンネル）を選択する旨の情報が含まれているとみなす。この場合、実際にはチャンネルは変更されない。
【００８１】
以上のような構造およびフローチャートに基づく、本体機器１００の動作について説明する。
【００８２】
［利用者毎にチャンネルを設定する場合］
制御部１１０は、チューナ１６０およびアンテナ１９０を用いて、同期することを確認できるチャンネルを検出する（Ｓ３００）。チャンネルが検出されると、赤外線受光部１２０は、利用者のいずれかがチャンネルを設定しようとする旨を受付ける（Ｓ３０２）。利用者のいずれかがチャンネルを設定しようとする旨が受付けられると、制御部１１０は、まずメモリ１５０のバッファに、利用者毎のチャンネルの、最新の設定を表す情報を記憶させる。
【００８３】
最新の設定を表す情報が記憶されると、制御部１１０は、設定しようとする対象の選択を、リモコン信号が表す情報として受付けるように、赤外線受光部１２０を制御する（Ｓ４００）。このために、制御部１１０は、ＯＳＤ画像生成部１８０に情報を出力させることにより、表示部１７０に、チャンネルおよび使用できる時間帯の入力を受付けるための画像を表示させる。図８を参照して、このとき表示部１７０に表示される画像について説明する。この画像に含まれる欄は、チャンネル枠２３０と、時間枠２４０とに大別される。チャンネル枠２３０は、チャンネルに関する情報を表す。時間枠２４０は、利用者毎の、利用できる時間帯を表す。チャンネル枠２３０は、同期チャンネル欄２３２と、利用者チャンネル表示欄２３４と、氏名欄２３６と、表題欄２３８とを含む。同期チャンネル欄２３２は、Ｓ３００にて同期することを確認できた（本実施の形態の場合であれば複数の）チャンネルを表す。利用者チャンネル表示欄２３４は、利用者毎の、チャンネルの設定の内容を表す。氏名欄２３６は、右隣の利用者チャンネル表示欄２３４に表示されたチャンネルを設定した利用者を表す。表題欄２３８は、同期チャンネル欄２３２が、Ｓ３００にて同期することを確認できたチャンネルを表す欄であることを示す。本実施の形態におけるカーソルは、各欄を囲む太枠である。カーソルキー１２１４が押されると、制御部１１０は、押されたカーソルキーが表す方向へ、カーソルを移動させる。カーソルが氏名欄２３６にある場合に、カーソルキー１２１４のうち、カーソルを下へ移動させるためのキーを押すと、氏名欄２３６および利用者チャンネル表示欄２３４がスクロールする。これにより、利用者Ａの氏名欄および利用者チャンネル表示欄に代えて、図８に表れていない利用者Ｃの氏名欄および利用者チャンネル表示欄が表れる。図９は、設定しようとする対象が時間帯の欄である場合の、表示部１７０の表示例を示す。利用者Ａの氏名欄２３６が太枠で囲まれている。確定ボタン１２２４が押されると、選択の受付けは確定する。
【００８４】
受付が確定されると、制御部１１０は、利用者が設定の対象としてチャンネル枠２３０に含まれる欄を選択したか否かを判断する（Ｓ４０２）。この場合、利用者はチャンネル枠２３０に含まれる欄を選択するので（Ｓ４０２にてＹＥＳ）、制御部１１０は、利用者の選択を受付けるように、赤外線受光部１２０を制御する（Ｓ４０４）。図１０に、本実施の形態におけるこのときの表示部１７０の内容を示す。利用者Ａに対するチャンネルの設定の内容（Ｓ３０２にて制御部１１０がメモリ１５０のバッファに記憶させた情報）が利用者チャンネル表示欄２３４に表示されている。その他の利用者（図１０の場合、利用者Ｂ）に対するチャンネルの設定の内容は、利用者チャンネル表示欄２３４に表示されない。利用者Ｂに対するチャンネルの設定の内容は、設定の対象として利用者Ｂが選択されている場合に表示される。
【００８５】
設定の内容が表示されると、赤外線受光部１２０は、表示するチャンネルの選択を受付ける（Ｓ４０６）。図１１に、このときの表示部１７０の内容を示す。チャンネル「１」が反転して表示されている。カーソルを右方向に移動させるキーが押されると、制御部１１０は、チャンネル「２」を反転して表示させる。チャンネル「３６」が反転して表示されているときに、カーソルを右方向に移動させるキーが押されると、制御部１１０は、チャンネルの表示をスクロールさせる。すなわち、利用者チャンネル表示欄２３４において、チャンネルの表示が順次左に移動し、最も右の表示マスには「３４」が表示される。利用者Ａが選択したチャンネルの数がユーザ毎に認められているチャンネルの数（本実施の形態の場合、Ｓ３００にて同期することを確認できたチャンネルの数）を下回る場合、表示のスクロールを繰返すと、チャンネルの番号が何も表示されない表示マスが表示される。利用者が既にユーザ毎に認められている数のチャンネルを設定している場合、最も右の表示マスに表示されるべきチャンネルが表示されると、カーソルを右方向に移動させるキーが押されてもチャンネルの表示はそれ以上スクロールしない。カーソルが利用者チャンネル表示欄２３４にある時に、数字ボタン１２０６が押されると、制御部１１０は、それまでカーソルがある表示マスに表示されていた数字に代えて、押された数字ボタン１２０６が表す数をカーソルがある表示マスに表示させる。カーソルキー１２１４のうち、カーソルを下方向に移動させるキーが押されると、制御部１１０は、その時反転表示されていたチャンネルを利用者チャンネル表示欄２３４から消去させる。確定ボタン１２２４が押されると、制御部１１０は、確定ボタン１２２４が押された時点で表示部１７０が表示する情報を、設定すべき内容としてメモリ１５０のバッファに記憶させる。本実施の形態において、利用者チャンネル表示欄２３４に表示されたチャンネルは、利用者チャンネル表示欄２３４に表示された順序でメモリ１５０のバッファに記憶される。これにより、制御部１１０は、ＯＳＤ画像生成部１８０が出力した情報が表すチャンネルからグループを構成するチャンネルを設定する情報を受付けるように、赤外線受光部１２０を制御したことになる。また、メモリ１５０のバッファ（最終的にはメモリ１５０の本設定用の領域の、同一のグループを構成するチャンネルを記憶する領域）は、同一のグループを構成するチャンネルを表す情報を、互いの前後の順序が明らかとなるように対応付けて記憶したことになる。
【００８６】
チャンネル番号の選択が受付けられると、制御部１１０は、受付けられた設定に対する、利用者の承認があったか否かを判断する（Ｓ３０６）。この場合、利用者の承認があったと判断するので（Ｓ３０６にてＹＥＳ）、制御部１１０は、変更された設定の内容を表す情報を、メモリ１５０の本設定用の領域に記憶させる（Ｓ３０８）。情報が記憶されると、処理は終了する。
【００８７】
［利用者が利用できる時間を設定する場合］
Ｓ３００〜Ｓ４００の処理を経て、制御部１１０は、利用者が設定の対象としてチャンネル枠２３０に含まれる欄を選択したか否かを判断する（Ｓ４０２）。この場合、利用者は時間帯の欄を選択するので（Ｓ４０２にてＮＯ）、制御部１１０は、利用者毎に本体機器１００を使用する時間の設定を受付ける（Ｓ４０８）。本実施の形態において、この時受付けられる時間は、利用者同士で重複する時間であってもよい（他の形態であれば、この時受付けられる時間は、互いに重複しない時間帯となるものであってもよい）。時間の設定が受付けられると、制御部１１０は、確定ボタン１２２４が押された旨の信号を待ち、表示部１７０に表示された候補をメモリ１５０のバッファに記憶させる（Ｓ４１０）。図１２に、このようにして利用者がそれぞれ選択した時間帯の例を示す。
【００８８】
［本体装置を用いて番組を表示させる場合］
制御部１１０は、計時回路１２６が出力した値に基づき、時間を特定する（Ｓ５００）。時間が特定されると、制御部１１０は、本体機器１００を利用する利用者を特定する（Ｓ５０２）。利用者が特定されると、制御部１１０は、利用中の利用者が、本体機器１００を利用できる利用者か否かを判断する（Ｓ５０４）。この場合、本体機器１００を利用できる利用者と判断しないので（Ｓ５０４にてＮＯ）、制御部１１０は、チャンネルに関する設定を標準の設定にする（Ｓ５０６）。設定が標準の設定にされると、制御部１１０は、リモコン信号として情報を受付けるように、赤外線受光部１２０を制御する（Ｓ５０８）。リモコン信号が受付けられると、制御部１１０は、受信した信号が利用者の変更を表すか否かを判断する（Ｓ５１０）。この場合、利用者の変更を表すと判断するので（Ｓ５１０にてＹＥＳ）、制御部１１０は、Ｓ５０８にて受信した信号から、利用者名およびパスワードを抽出する（Ｓ５１２）。これにより、制御部１１０は、本体機器１００を使用中の利用者を特定することができる。利用者名などが抽出されると、制御部１１０は、抽出された利用者名に基づき、利用中の利用者が、Ｓ５１２を実行する時点で本体機器１００を利用できる利用者か否かを判断する（Ｓ５１４）。この場合、本体機器１００を利用できる利用者と判断されるので（Ｓ５１４にてＹＥＳ）、制御部１１０は、利用者毎にチャンネルの表示を設定する（Ｓ５１６）。図１３を参照して、この場合に設定され得る、利用者毎のチャンネルの番号を示す。チャンネルが設定されると、制御部１１０は、赤外線受光部１２０が受信したリモコン信号が表す、チャンネルを選択する旨の情報に基づき、チューナ１６０がアンテナを用いて受信するチャンネルを変更させ、受信した映像を表示部１７０に表示させる（Ｓ５１８）。
【００８９】
以上のようにして、本実施の形態に係る本体機器１００は、多数あるチャンネルのいずれかを、利用者ごとに選択する。これにより、利用者が個別の嗜好に応じてチャンネルを設定できる。そのように複数の設定を扱うことができるので、本体機器１００を共有する場合に、利用者ごとの設定の秘匿性が向上する（どの利用者がどのようなチャンネルを選択しているか、分かりにくくなる）。あわせて、そのように複数の設定を扱うことができるので、本体機器１００を共有する場合に、設定が混乱することがなくなる。これらに加え、本実施の形態に係る本体機器１００は、チャンネルを表示する順序を利用者が選択したり、チャンネルを選択しなかったりできる。これにより、利用者が得る情報の取捨選択に優先度をつける（たとえば、利用者が自らの嗜好に合わないチャンネルを非表示にする）ことができる。さらに、本実施の形態に係る本体機器１００は、利用者ごとに設定できるチャンネルの数を、同期することを確認できるチャンネルの数に一致するように定める。これにより、同期することが確認されなかったチャンネルに関する情報を記憶する必要性がなくなる。そのような情報を記憶する必要性がなくなるので、記憶すべき情報の量は圧縮される。そのような情報の量が圧縮されるので、そのような記憶に必要な回路を恒常的に排除できる（すなわち、回路の構成を簡略化できる）。回路が恒常的に排除されるので、その分消費電力が低下する。これらの他、本実施の形態に係る本体機器１００は、時間を制限して利用者ごとの設定の有効・無効を決めることができる。これにより、たとえばチャンネル権の取り合いといった、利用上の齟齬を解消できる。その結果、番組の視聴を円滑化でき、メモリの容量が少なく、かつ消費電力を軽減できる受像機を提供することができる。
【００９０】
なお、表示部１７０およびスピーカ１７２は、本体機器１００から独立していてもよい。この場合、本体機器１００は、テレビではなく外付けのチューナとして動作することとなる。
【００９１】
また、時間帯の設定を受付ける代わりに、有料利用者の登録を受付けてもよい。この場合、利用者が利用者名やパスワードなどを入力することにより、利用者自身が設定した設定でチャンネルを選択することが可能となる。本体機器１００の利用後、利用者がログオフの処理を実施すると、チャンネルの設定は標準の設定となる。
【００９２】
これらとは別に、赤外線受光部１２０が信号として情報の入力を受付けることに代えて、入力部１３０が情報を受付けてもよい。
【００９３】
その他、利用者ごとにチャンネルを設定することと同様に、任意の名称のグループごとに、チャンネルを設定してもよい。利用者ごとにチャンネルを設定する場合にも、任意の名称のグループごとにチャンネルを設定する場合にも、同一のチャンネルが複数のグループに含まれていてもよい。
【００９４】
ちなみに、制御部１１０は、予め利用者から利用者名やパスワードなどを受付けるように赤外線受光部１２０を制御し、赤外線受光部１２０が予め定められた利用者である旨の利用者名やパスワードなどを受付けた場合に、Ｓ４００〜Ｓ４１０における自己の処理を実施してもよい。
【００９５】
その他、制御部１１０は、予め利用者から利用者名やパスワードなどを受付けるように赤外線受光部１２０を制御した上で、利用者名やパスワードなどが、Ｓ５０８にて受付けた選択チャンネルでの情報の受信を許可されている利用者を表す場合に、Ｓ５１８にてチャンネルを変更させる（リモコン信号にチャンネルを選択する旨の情報が含まれていない場合の処理はＳ５１８の場合と同様である）ように、チューナ１６０を制御してもよい。この場合、選択チャンネルでの情報の受信を許可されている特定の利用者を表す情報は、メモリ１５０の本設定用の領域に記憶される。このようにチューナ１６０を制御する場合、制御部１１０は、情報の受信を許可された利用者を更新するように、メモリ１５０を制御してもよい。
【００９６】
＜第２の実施の形態＞
以下、本発明の第２の実施の形態について説明する。
【００９７】
本実施の形態に係る本体機器１００は、前述の第１の実施の形態と同じである。それらについての機能も同じである。したがって、それらについての詳細な説明はここでは繰返さない。
【００９８】
図１４を参照して、本体機器１００で実行されるプログラムは、設定の変更に関して、以下のような制御構造を有する。なお、図１４に示すフローチャートの中で、前述の図６に示した処理は同じステップ番号を付してある。それらの処理も同じである。したがって、それらについての詳細な説明はここでは繰返さない。
【００９９】
Ｓ５５０にて、制御部１１０は、利用者が設定の対象として変更欄を選択したか否かを判断する。このとき表示部１７０に表示される画像には、チャンネル枠２３０の各欄および時間枠２４０の欄のほかに、視聴の対象を変更するか否かの意思の表示を表すチェックボックス（本実施の形態において、このチェックボックスを「変更欄」と称する）が表示されている。カーソルが変更欄にある時に確定ボタン１２２４が押されると、制御部１１０は、変更欄が選択されたとみなす。利用者が変更欄を選択したと判断した場合（Ｓ５５０にてＹＥＳ）、処理はＳ５５２へと移される。もしそうでないと（Ｓ５５０にてＮＯ）、処理はＳ４０８へと移される。Ｓ５５２にて、制御部１１０は、利用者からの視聴の対象を変更する旨の要求に対応する。この処理は、後述するＳ６００〜Ｓ６１８の各ステップに相当する。
【０１００】
図１５を参照して、本体機器１００で実行されるプログラムは、視聴の対象の変更に関して、以下のような制御構造を有する。
【０１０１】
Ｓ６００にて、制御部１１０は、利用者が、視聴の対象を「限定」から「汎用」に変更しようとしているか否かを判断する。本実施の形態において、視聴の対象を「限定」とすることは、特定の利用者のみが「限定」とされたチャンネルを視聴できることを意味する。視聴の対象を「汎用」とすることは、すべての利用者が「汎用」とされたチャンネルを視聴できることを意味する。この判断は、表示部１７０にダイアログボックスを表示させ、利用者の選択（視聴の対象を「限定」から「汎用」に変更するか否かの選択）を受付け、受付けた選択に基づいて実施する。視聴の対象を「汎用」に変更しようとしていると判断した場合（Ｓ６００にてＹＥＳ）、処理はＳ６０２へと移される。もしそうでないと（Ｓ６００にてＮＯ）、処理はＳ６０８へと移される。
【０１０２】
Ｓ６０２にて、制御部１１０は、利用者の、「汎用」への変更の意思を確認したか否かを判断する。この判断は、確定ボタン１２２４が押された旨のリモコン信号を受信したか否かに基づいて実施される。この判断に先立って、制御部１１０は、視聴の対象が「限定」となっているチャンネルを表示部１７０に表示させた上で、予め利用者がどのチャンネルを「汎用」に変更しようとしているかの入力を、リモコン信号として受付けている。変更の意思を確認したと判断した場合（Ｓ６０２にてＹＥＳ）、処理はＳ６０４へと移される。もしそうでないと（Ｓ６０２にてＮＯ）、処理はＳ６０６へと移される。
【０１０３】
Ｓ６０４にて、制御部１１０は、視聴の対象を「汎用」に変更したチャンネルについて、その旨をメモリ１５０のバッファに記憶させる。Ｓ６０６にて、制御部１１０は、視聴の対象を変更する処理を、変更をかけないままで中止する。すなわち、制御部１１０は、表示部１７０の表示をＳ５５０の時点の内容に復旧させる。
【０１０４】
Ｓ６０８にて、制御部１１０は、視聴の対象を「汎用」から「限定」へ変更するための表示を、表示部１７０に表示させる。Ｓ６１０にて、制御部１１０は、表示部１７０に認証用の画面を表示させ、利用者本人を確認する手段を要求する。本実施の形態の場合、制御部１１０は、そのような手段として、利用者名およびパスワードの入力を求める。利用者が入力した利用者名およびパスワードは、リモコン信号として本体機器１００に送信される。制御部１１０は、利用者を表す情報（すなわちパスワード）を受付けるように赤外線受光部１２０を制御する。
【０１０５】
Ｓ６１２にて、制御部１１０は、受信した利用者名およびパスワードに基づき、認証できるか否か（利用者名とパスワードとが一致したか否か）を判断する。認証できると判断した場合（Ｓ６１２にてＹＥＳ）、処理はＳ６１４へと移される。もしそうでないと（Ｓ６１２にてＮＯ）、処理はＳ６１８へと移される。
【０１０６】
Ｓ６１４にて、制御部１１０は、利用者の、「限定」への変更の意思を確認したか否かを判断する。この判断は、確定ボタン１２２４が押された旨のリモコン信号を受信したか否かに基づいて実施される。この判断に先立って、制御部１１０は、視聴の対象が「汎用」となっているチャンネルを表示部１７０に表示させた上で、予め利用者がどのチャンネルを「限定」に変更しようとしているかの入力を、リモコン信号として受付けている。変更の意思を確認したと判断した場合（Ｓ６１４にてＹＥＳ）、処理はＳ６１６へと移される。もしそうでないと（Ｓ６１４にてＮＯ）、処理はＳ６１８へと移される。
【０１０７】
Ｓ６１６にて、制御部１１０は、視聴の対象を「限定」に変更したチャンネルについて、その旨をメモリ１５０のバッファに記憶させる。Ｓ６１８にて、制御部１１０は、視聴の対象を変更する処理を、変更をかけないままで中止する。すなわち、制御部１１０は、表示部１７０の表示をＳ５５０の時点の内容に復旧させる。
【０１０８】
なお、その他の処理フローについては前述の第１の実施の形態と同様である。それらについての機能も同じである。したがって、それらについての詳細な説明はここでは繰返さない。
【０１０９】
以上のような構造およびフローチャートに基づく、本体機器１００の動作について説明する。
【０１１０】
［あるチャンネルの設定を「汎用」に変更する場合］
利用者がチャンネル枠２３０に含まれる欄を選択しなかった場合（Ｓ４０２にてＮＯ）、制御部１１０は、利用者が設定の対象として変更欄を選択したか否かを判断する（Ｓ５５０）。この場合、利用者は変更欄を選択するので（Ｓ５５０にてＹＥＳ）、制御部１１０は、利用者が、視聴の対象を「限定」から「汎用」に変更しようとしているか否かを判断する（Ｓ６００）。この場合、利用者は視聴の対象を「汎用」に変更しようとしているので（Ｓ６００にてＹＥＳ）、制御部１１０は、視聴の対象が「限定」となっているチャンネルを表示部１７０に表示させた上で、予め利用者がどのチャンネルを「汎用」に変更しようとしているかの入力を、リモコン信号として受付ける。図１６に、この場合の表示部１７０の表示を示す。チャンネル「４０」が反転して表示されている。カーソルキー１２１４のうち、カーソルを左方向に移動させるキーが押されると、制御部１１０は、チャンネル「３６」を反転して表示させる。カーソルを上下方向に移動させるキーが押されると、制御部１１０は、その時反転表示されたチャンネルが選択されたとみなし、そのチャンネルを表す情報をメモリ１５０のバッファに記憶させる。あわせて制御部１１０は、選択されたチャンネルを、選択されていないチャンネルとは別の色で表示させる。確定ボタン１２２４が押された旨の信号を受信すると、制御部１１０は、その時までに選択されたチャンネルを、「汎用」に変更しようとするチャンネルとして受付ける。入力が受付けられると、制御部１１０は、利用者の、「汎用」への変更の意思を確認したか否かを判断する（Ｓ６０２）。図１７は、この場合の表示部１７０の表示面を示す。この場合も、「汎用」に変更するチャンネルを受付けた場合と同様にして変更の意思を確認する。変更の意思が確認されると（Ｓ６０２にてＹＥＳ）、制御部１１０は、視聴の対象を「汎用」に変更したチャンネルについて、その旨をメモリ１５０のバッファに記憶させる（Ｓ６０４）。その旨がメモリ１５０のバッファに記憶されると、制御部１１０は、受付けられた設定に対する、利用者の承認があったか否かを判断する（Ｓ３０６）。
【０１１１】
［あるチャンネルの設定を「限定」に変更する場合］
制御部１１０は、利用者が、視聴の対象を「汎用」から「限定」に変更しようとしている場合（Ｓ６００にてＮＯ）、制御部１１０は、視聴の対象を「汎用」から「限定」へ変更するための表示を、表示部１７０に表示させる（Ｓ６０８）。その表示が表示されると、制御部１１０は、表示部１７０に認証用の画面を表示させ、利用者名およびパスワードの入力を求める（Ｓ６１０）。図１８が利用者名およびパスワードの入力を求める前の表示部１７０の表示である。図１９が利用者名およびパスワードの入力を求めた際の表示部１７０の表示である。利用者が入力した利用者名およびパスワードは、リモコン信号として本体機器１００に送信される。利用者名およびパスワードが送信されると、制御部１１０は、受信した利用者名およびパスワードに基づき、認証できるか否か（利用者名とパスワードとが一致したか否か）を判断する（Ｓ６１２）。この場合、認証できると判断するので（Ｓ６１２にてＹＥＳ）、制御部１１０は、視聴の対象が「汎用」となっているチャンネルを表示部１７０に表示させた上で、予め利用者がどのチャンネルを「限定」に変更しようとしているかの入力を、リモコン信号として受付ける。入力の方法はチャンネルの設定を「限定」から「汎用」に変更する場合と同様である。入力が受付けられると、利用者の、「限定」への変更の意思を確認したか否かを判断する（Ｓ６１４）。図２０に、この場合の表示部１７０の表示を示す。「はい」の枠が太枠で囲まれている時、確定ボタン１２２４が押されると（Ｓ６１４にてＹＥＳ）、制御部１１０は、視聴の対象を「限定」に変更したチャンネルについて、その旨をメモリ１５０のバッファに記憶させる（Ｓ６１６）。その旨がメモリ１５０のバッファに記憶されると、制御部１１０は、受付けられた設定に対する、利用者の承認があったか否かを判断する（Ｓ３０６）。
【０１１２】
以上のようにして、本実施の形態に係る本体機器１００は、チャンネルを「汎用」および「限定」に区別し、それらの区別に応じて一定の利用者が番組を視聴できるように制御できる。これにより、１台の受像機を使用する場合でも、利用者毎に秘匿性が高い設定をして利用することができる。さらに本実施の形態に係る本体機器１００は、通常の地上波放送とは異なる放送（衛星放送やケーブルテレビの放送）のように対価を支払うことにより視聴権が得られる放送の場合や、親が子に見せたくないチャンネルがある場合に、本体機器１００を共有していても、確実に第三者の視聴を防止できる。その結果、利用者に対する利便性と情報の秘匿性が高い本体機器を提供することができる。
【０１１３】
なお、本実施の形態においても、表示部１７０およびスピーカ１７２は、本体機器１００から独立していてもよい。この場合にも、本体機器１００は、テレビではなく外付けのチューナとして動作する。
【０１１４】
また、「利用者本人を確認する手段」とは、パスワードによる認証に限定されない。たとえばＩＣカードによる認証や、指紋による認証であってもよい。
【０１１５】
その他、チャンネルの設定は、随時可能であってもよい。この場合利用者は、番組を視聴する時間帯の制約は受けるが、チャンネルを設定することに対する時間的な制約は受けないこととなる。
【０１１６】
これらとは別に、チャンネルの設定において、チャンネルの順番は、利用者ごとに変更できるものでなくてもよい。
【０１１７】
ちなみに、制御部１１０は、チャンネルを「限定」から「汎用」に変更する場合に、個人認証を求めてもよい。
【０１１８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１９】
【図１】本発明の第１の実施の形態に係る本体機器の機能的構成を表すブロック図である。
【図２】本発明の第１の実施の形態に係るリモコン端末の外観を表す図である。
【図３】本発明の第１の実施の形態に係るリモコン端末が有する機能の構成を表す図である。
【図４】本発明の第１の実施の形態に係る本体機器とリモコン端末との間の通信のフォーマットを表す図である。
【図５】本発明の第１の実施の形態に係るチャンネルの設定処理の制御の手順を示すフローチャートである。
【図６】本発明の第１の実施の形態に係る設定の変更処理の制御の手順を示すフローチャートである。
【図７】本発明の第１の実施の形態に係る放送の受信処理および映像の表示処理の制御の手順を示すフローチャートである。
【図８】本発明の第１の実施の形態に係る表示部の、チャンネル設定欄の内容を設定しようとする場合の表示の内容を表す図である。
【図９】本発明の第１の実施の形態に係る表示部の、時間帯を設定しようとする場合の、表示の内容を表す図である。
【図１０】本発明の第１の実施の形態に係る表示部の、利用者の選択を受付けられた場合の表示の内容を表す図である。
【図１１】本発明の第１の実施の形態に係る表示部の、表示するチャンネル番号の選択を受付ける場合の、表示の内容を表す図である。
【図１２】本発明の第１の実施の形態に係るメモリに記憶された、利用者がそれぞれ本体機器を利用する時間帯の例を表す図である。
【図１３】本発明の第１の実施の形態に係るメモリに記憶された、利用者別のチャンネル番号を表す図である。
【図１４】本発明の第２の実施の形態に係る設定の変更処理の制御の手順を示すフローチャートである。
【図１５】本発明の第２の実施の形態に係る視聴の対象を変更する処理の制御の手順を示すフローチャートである。
【図１６】本発明の第２の実施の形態に係る表示部の、視聴の対象を変更するチャンネル番号の選択を受付ける場合の、表示の内容を表す図である。
【図１７】本発明の第２の実施の形態に係る表示部の、視聴の対象を「汎用」に変更する旨の確認をする場合の、表示の内容を表す図である。
【図１８】本発明の第２の実施の形態に係る表示部の、視聴の対象を「汎用」から「限定」へ変更する場合の、表示の内容を表す図である。
【図１９】本発明の第２の実施の形態に係る表示部の、利用者名とパスワードとの入力を求めた場合の、表示の内容を表す図である。
【図２０】本発明の第２の実施の形態に係る表示部の、「限定」への変更の意思を確認する場合の、表示の内容を表す図である。
【符号の説明】
【０１２０】
１００  本体機器、１１０，１２１０  制御部、１２０  赤外線受光部、１２６  計時回路、１３０  入力部、１５０，１２５０  メモリ、１６０  チューナ、１６２  合成部、１６４  増幅部、１７０  表示部、１７２  スピーカ、１８０  ＯＳＤ画像生成部、１９０  アンテナ、２２０  スタートビット用エリア、２２２  オペレーションコード用エリア、２２４  コマンドコード用エリア、２２６  データ用エリア、２２８  ストップビット用エリア、２３０  チャンネル枠、２３２  同期チャンネル欄、２３４  利用者チャンネル表示欄、２３６  氏名欄、２３８  表題欄、２４０  時間枠、１２００  リモコン端末、１２０２  ディスプレイ、１２０４  移動キー、１２０６  数字ボタン、１２０８  操作ボタン、１２１４  カーソルキー、１２１８  音量ボタン、１２２０  チャンネル選局部、１２２４  確定ボタン、１２２８  チャンネルボタン、１２４０  操作部、１２６０  赤外線発光部。
【図１】
2005311453.tif 000003
【図２】
2005311453.tif 000004
【図３】
2005311453.tif 000005
【図４】
2005311453.tif 000006
【図５】
2005311453.tif 000007
【図６】
2005311453.tif 000008
【図７】
2005311453.tif 000009
【図８】
2005311453.tif 000010
【図９】
2005311453.tif 000011
【図１０】
2005311453.tif 000012
【図１１】
2005311453.tif 000013
【図１２】
2005311453.tif 000014
【図１３】
2005311453.tif 000015
【図１４】
2005311453.tif 000016
【図１５】
2005311453.tif 000017
【図１６】
2005311453.tif 000018
【図１７】
2005311453.tif 000019
【図１８】
2005311453.tif 000020
【図１９】
2005311453.tif 000021
【図２０】
2005311453.tif 000022